(57)【要約】【課題】出入り口を介して行き来することが可能な隣接する第１室及び第２室で、第２室を第１室より清浄度が高い状態に管理する場合に、安価で、安全性が高く、効果的に第２室の清浄度を保つことが可能な清浄度区分方法及び清浄度区分システムを提供する。【解決手段】第１室１０１側の出入り口１０３の上方に浄化装置１を配設し、出入り口１０３の上方から下方へ、浄化イオンを含む空気を吐出させる。【選択図】図１
2006337013.tif 000002
【特許請求の範囲】
【請求項１】
出入り口を介して横方向に行き来することが可能な第１区域及び該第１区域より空気清浄度を高くすべき第２区域にて、前記第１区域及び第２区域の清浄度を区分する清浄度区分方法において、
前記第１区域側又は第２区域側の出入り口の上方から、浄化成分を含む下降流を発生させることを特徴とする清浄度区分方法。
【請求項２】
出入り口を介して横方向に行き来することが可能な第１区域及び該第１区域より空気清浄度を高くすべき第２区域にて、前記第１区域及び第２区域の清浄度を区分する清浄度区分システムにおいて、
前記第１区域側の出入り口の上方から下方へ浄化成分を含む気体を吐出する吐出口を有する浄化装置を配設したことを特徴とする清浄度区分システム。
【請求項３】
前記第１区域側の出入り口の一側に配設され、出入り口の他側の方向に対して、第１区域側に鋭角をなす方向へ、浄化成分を含む気体を吐出する吐出口を有する浄化装置を更に備えることを特徴とする請求項２に記載の清浄度区分システム。
【請求項４】
前記出入り口の水平方向の断面は、直線状をなし、
前記第１区域内で、出入り口を一辺とした平面視多角形状をなす閉領域に対し、出入り口以外の各辺に、上方から下方へ浄化成分を含む気体を吐出する吐出口を有する浄化装置を更に配設したことを特徴とする請求項２又は請求項３に記載の清浄度区分システム。
【請求項５】
出入り口を介して横方向に行き来することが可能な第１区域及び該第１区域より空気清浄度を高くすべき第２区域にて、前記第１区域及び第２区域の清浄度を区分する清浄度区分システムにおいて、
前記第２区域側の出入り口の上方から下方へ浄化成分を含む気体を吐出する吐出口を有する浄化装置を配設したことを特徴とする清浄度区分システム。
【請求項６】
前記吐出口は、第１区域側へ浄化成分を含む気体を吐出する様に構成してあることを特徴とする請求項５に記載の清浄度区分システム。
【請求項７】
前記出入り口の開閉に連動して、気体の吐出方向を変更する手段を更に備え、
前記吐出口は、出入り口が開である場合に、第１区域側へ浄化成分を含む気体を吐出する様に構成してある
ことを特徴とする請求項５に記載の清浄度区分システム。
【請求項８】
前記第１区域側から出入り口へ接近する人物又は物品を検知する検知手段と、
該検知手段による検知の状況に基づいて、気体の吐出方向を変更する手段と
を更に備えることを特徴とする請求項２乃至請求項７のいずれかひとつに記載の清浄度区分システム。
【請求項９】
前記第１区域は、床面を有し、
該床面には、吸気口が開設されている
ことを特徴とする請求項２乃至請求項８のいずれかひとつに記載の清浄度区分システム。
【請求項１０】
前記浄化装置は、
筐体と、
該筐体に開設された吸気口と、
筐体内部に配設された浄化イオン発生手段と、
筐体内部に配設され、浄化イオン発生手段が発生させた浄化イオンを含む空気を送風する送風手段と、
筐体に開設され、送風手段により送風される空気を吐出する吐出口と
を備える
ことを特徴とする請求項２乃至請求項９のいずれかひとつに記載の清浄度区分システム。
【請求項１１】
前記浄化装置が備える吸気口及び吐出口は、開閉することが可能であり、
前記浄化装置が備える送風手段は、吸気口及び吐出口が閉である場合に、浄化イオンを含む空気を筐体内で循環させるように構成してある
ことを特徴とする請求項１０に記載の清浄度区分システム。
【発明の詳細な説明】
【技術分野】
【０００１】
本発明は、出入り口を介して行き来することが可能な第１区域及び該第１区域より空気清浄度を高く保つべき第２区域にて、前記第１区域及び第２区域の清浄度を区分する清浄度区分方法、並びに該清浄度区分方法を適用した清浄度区分システムに関し、特に要求される清浄度が高い第２区域の清浄度を保つ清浄度区分方法及び清浄度区分システムに関する。
【背景技術】
【０００２】
従来、ＨＡＣＣＰ（Ｈａｚａｒｄ  Ａｎａｌｙｓｉｓ  Ｃｒｉｔｉｃａｌ  Ｃｏｎｔｏｒｏｌ  Ｐｏｉｎｔ：「危害分析・重要管理点」と訳される食品工場、医薬品工場等における衛生管理システム）に適した清浄度の管理においては、工場内に清浄度の異なる区域、例えば清浄区域、準清浄区域及び非清浄区域の三段階の区域を設定し、区域管理により、清浄区域において、適切な清浄度を維持することにより食品又は医薬品の清浄度を確保している。
【０００３】
そして清浄度の低い区域から清浄度の高い区域へ人物又は物品が移動する場合、清浄度の低い区域で付着した病原菌、浮遊塵埃等の汚染源の持込を防止するため、薬液による靴底及び手指の洗浄、粘着剤による毛髪の吸着、頭部及び衣類に対するエアシャワーにより、付着した汚染源を除去している。ところが洗浄用の薬液は、食品衛生法等の法律の規制により、使用に制約がある。またエアシャワーは、清浄な空気による置き換えであり、積極的に浄化をするものではない。
【０００４】
そこで特許文献１には、送風循環系を有するエアシャワー室を設け、浮遊菌及び化学物質を分解・除去するイオンをエアシャワー室内で循環させる方法が提案されている。
【特許文献１】特開２００４−２８５３２号公報
【発明の開示】
【発明が解決しようとする課題】
【０００５】
しかしながら特許文献１に示されたエアシャワー室を設ける方法では、設備費が嵩み、保守管理が難しいという問題がある。このことは多額の設備投資が困難な中小企業にとっては大きな問題である。
【０００６】
本発明は斯かる事情に鑑みてなされたものであり、清浄度の低い区域から清浄度の高い区域へ入室するための出入り口の上方に、浮遊菌及び化学物質を分解・除去するイオン等の浄化成分を含む下降流を発生させる浄化装置を配設することにより、安価で、保守管理が容易な清浄度区分方法、及び該清浄度区分方法を適用した清浄度区分システムの提供を目的とする。
【課題を解決するための手段】
【０００７】
本発明に係る清浄度区分方法は、出入り口を介して横方向に行き来することが可能な第１区域及び該第１区域より空気清浄度を高くすべき第２区域にて、前記第１区域及び第２区域の清浄度を区分する清浄度区分方法において、前記第１区域側又は第２区域側の出入り口の上方から、浄化成分を含む下降流を発生させることを特徴とする。
【０００８】
本発明に係る清浄度区分方法では、専用のシャワー室、送風循環系等の設備費が嵩み保守管理が困難な設備を要しないため、安価で、保守管理が容易である。しかも気体に浄化成分を含むため、清浄度を高く保つことが容易である。さらに上方から下方へ気体を吐出させるため、人体において、浮遊塵埃等の付着物が最も多い頭部及び両肩部に対して近距離から気体を吹き付けることができるので、吹き付けられる気体の浄化成分の濃度が高く流速も高速であるため、効果的な浄化を行うことが可能である。
【０００９】
本発明に係る清浄度区分システムは、出入り口を介して横方向に行き来することが可能な第１区域及び該第１区域より空気清浄度を高くすべき第２区域にて、前記第１区域及び第２区域の清浄度を区分する清浄度区分システムにおいて、前記第１区域側の出入り口の上方から下方へ浄化成分を含む気体を吐出する吐出口を有する浄化装置を配設したことを特徴とする。
【００１０】
本発明に係る清浄度区分システムでは、専用のシャワー室、送風循環系等の設備費が高く保守管理が困難な設備を要しないため、安価で、保守管理が容易である。しかも気体に浄化成分を含むため、清浄度を高く保つことが容易である。さらに上方から下方へ気体を吐出させるため、人体において、浮遊塵埃等の付着物が最も多い頭部及び両肩部に対して近距離から気体を吹き付けることができるので、吹き付けられる気体の浄化成分の濃度が高く流速も高速であるため、比較的低出力の装置でも効果的な浄化を行うことが可能である。
【００１１】
本発明に係る清浄度区分システムは、前記第１区域側の出入り口の一側に配設され、出入り口の他側の方向に対して、第１区域側に鋭角をなす方向へ、浄化成分を含む気体を吐出する吐出口を有する浄化装置を更に備えることを特徴とする。
【００１２】
本発明に係る清浄度区分システムでは、人体の前面に付着した汚染源をも効果的に浄化することが可能である。
【００１３】
本発明に係る清浄度区分システムは、前記出入り口の水平方向の断面は、直線状をなし、前記第１区域内で、出入り口を一辺とした平面視多角形状をなす閉領域に対し、出入り口以外の各辺に、上方から下方へ浄化成分を含む気体を吐出する吐出口を有する浄化装置を更に配設したことを特徴とする。
【００１４】
本発明に係る清浄度区分システムでは、第２区域へ入るまでにどのような経路を取ろうとも複数回の浄化が行われるので、第２区域へ持ち込まれる汚染源を効果的に除去し、第２区域の空気清浄度を高い状態に保つことが可能である。
【００１５】
本発明に係る清浄度区分システムは、出入り口を介して横方向に行き来することが可能な第１区域及び該第１区域より空気清浄度を高くすべき第２区域にて、前記第１区域及び第２区域の清浄度を区分する清浄度区分システムにおいて、前記第２区域側の出入り口の上方から下方へ浄化成分を含む気体を吐出する吐出口を有する浄化装置を配設したことを特徴とする。
【００１６】
本発明に係る清浄度区分システムでは、専用のシャワー室、送風循環系等の設備費が高く保守管理が困難な設備を要しないため、安価で、保守管理が容易である。しかも気体に浄化成分を含むため、清浄度を高く保つことが容易である。さらに上方から下方へ気体を吐出させるため、人体において、浮遊塵埃等の付着物が最も多い頭部及び両肩部に対して近距離から気体を吹き付けることができるので、吹き付けられる気体の浄化成分の濃度が高く流速も高速であるため、比較的低出力の装置でも効果的な浄化を行うことが可能である。
【００１７】
本発明に係る清浄度区分システムは、前記吐出口は、第１区域側へ浄化成分を含む気体を吐出する様に構成してあることを特徴とする。
【００１８】
本発明に係る清浄度区分システムでは、気体の吐出方向を第１区域側に傾けることにより、第１区域側から第２区域側へ進入する人体又は物品の前面に付着した汚染源をも効果的に浄化することが可能である。
【００１９】
本発明に係る清浄度区分システムは、前記出入り口の開閉に連動して、気体の吐出方向を変更する手段を更に備え、前記吐出口は、出入り口が開である場合に、第１区域側へ浄化成分を含む気体を吐出する様に構成してあることを特徴とする。
【００２０】
本発明に係る清浄度区分システムでは、出入り口が開いている場合に、気体の吐出方向を第１区域側に傾けることにより、第１区域側から第２区域側へ進入する人体又は物品に付着した汚染源をも効果的に浄化することが可能であり、出入り口が閉じている場合には、第２区域内に気体を吐出するので、仮に第２区域内に汚染源が混入したとしても、汚染源を浄化することが可能である。
【００２１】
本発明に係る清浄度区分システムは、前記第１区域側から出入り口へ接近する人物又は物品を検知する検知手段と、該検知手段による検知の状況に基づいて、気体の吐出方向を変更する手段とを更に備えることを特徴とする。
【００２２】
本発明に係る清浄度区分システムでは、人物又は物品が出入り口に接近していない場合にでも吐出を停止させることは無いため、人物又は物品が出入り口に接近してから停止していた吐出を再起動させる場合の様に、浄化効果が不十分な気体を吐出することがなく、安定した浄化効果を得ることが可能である。
【００２３】
本発明に係る清浄度区分システムは、前記第１区域は、床面を有し、該床面には、吸気口が開設されていることを特徴とする。
【００２４】
本発明に係る清浄度区分システムでは、上方から吐出した気体を床面の吸気口にて吸気するので、人体又は物品から吹き払われた汚染源を回収することが可能であり、汚染源が堆積することがない。
【００２５】
本発明に係る清浄度区分システムは、前記浄化装置は、筐体と、該筐体に開設された吸気口と、筐体内部に配設された浄化イオン発生手段と、筐体内部に配設され、浄化イオン発生手段が発生させた浄化イオンを含む空気を送風する送風手段と、筐体に開設され、送風手段により送風される空気を吐出する吐出口とを備えることを特徴とする。
【００２６】
本発明に係る清浄度区分システムでは、吐出する気体として人体に無害な浄化イオンを用いることにより、安全性を高めることが可能である。
【００２７】
本発明に係る清浄度区分システムは、前記浄化装置が備える吸気口及び吐出口は、開閉することが可能であり、前記浄化装置が備える送風手段は、吸気口及び吐出口が閉である場合に、浄化イオンを含む空気を筐体内で循環させるように構成してあることを特徴とする。
【００２８】
本発明に係る清浄度区分システムでは、気体の吐出が不要な夜間等の業務停止時に、浄化イオンを含む空気を筐体内で循環させることにより、運転停止中に筐体内に進入した外気及び内部に沈着した塵埃等の汚染源を浄化させることが可能である。
【発明の効果】
【００２９】
本発明に係る清浄度区分方法及び清浄度区分システムは、出入り口を介して行き来することが可能な隣接する第１区域及び第２区域で、第２区域を第１区域より清浄度が高い状態に管理する場合に、第１区域側の出入り口の上方に浄化装置を配設し、浄化装置により、出入り口の上方から下方へ浄化イオン等の浄化成分を含む空気を吐出する。
【００３０】
この構成により、専用のシャワー室、送風循環系等の設備費が高く保守管理が困難な設備を要しないため、安価で、保守管理が容易な清浄度の区分管理を実現することが可能である等、優れた効果を奏する。また吐出させる空気に、人体に無害な浄化イオンを含ませることにより、安全性を配慮しながらも清浄度を高く保つことが可能である等、優れた効果を奏する。さらに上方から下方へ空気を吐出させるため、人体において、浮遊塵埃等の付着物が最も多い頭部及び両肩部に対して近距離から気体を吹き付けることができるので、吹き付けられる気体の浄化成分の濃度が高く流速も高速であるため、比較的低出力の浄化装置を用いた場合でも効果的に浄化を行うことが可能であり、従って安価な浄化装置でも対応することが可能である等、優れた効果を奏する。
【００３１】
さらに本発明に係る浄化区分システム等では、第１区域側から第２区域側へ進入する人物の前面に空気が吐出されるように、第１区域側の出入り口の両側に浄化装置を配設することにより、人体の前面に付着した汚染源をも効果的に浄化することが可能である等、優れた効果を奏する。
【００３２】
また本発明に係る浄化区分システム等では、第１区域の一部に出入り口を一辺とした例えば平面視多角形状をなす閉領域を設定し、出入り口以外の各辺に、上方から下方へ浄化成分を含む気体を吐出する浄化装置を配設する。
【００３３】
この構成により、第２区域へ入るまでにどのような経路を取ろうとも複数回の浄化が行われるので、第２区域へ持ち込まれる汚染源を効果的に除去し、第２区域の空気清浄度を高い状態に保つことが可能である等、優れた効果を奏する。
【００３４】
さらに本発明に係る清浄度区分システム等では、第２区域側の出入り口の上方に浄化装置を配設し、浄化装置により、出入り口の上方から下方へ浄化イオン等の浄化成分を含む空気を吐出する。そして出入り口の開閉に連動して、出入り口が開である場合に、第１区域側へ浄化成分を含む気体を吐出させる。
【００３５】
この構成により、出入り口が開いている場合に、気体の吐出方向を第１区域側に傾けて、第１区域側から第２区域側へ進入する人体又は物品に付着した汚染源をも効果的に浄化することが可能であり、出入り口が閉じている場合には、第２区域内に気体を吐出するので、仮に第２区域内に汚染源が混入したとしても、汚染源を浄化することが可能である等、優れた効果を奏する。
【００３６】
さらに本発明に係る清浄度区分システム等では、第２区域へ進入すべく第１区域側から出入り口へ接近する人物又は物品を検知する検知手段を配設し、検知の状況に基づいて浄化装置の吐出方向を変更、例えば人物又は物品の接近を検知した場合には、接近する人物又は物品の方向へ空気を吐出し、接近を検知していない場合には、第１区域内の内部方向へ空気を吐出する。
【００３７】
この構成により、人物又は物品が出入り口に接近していない場合にでも吐出を停止させることは無いため、人物又は物品が出入り口に接近してから停止していた吐出を再起動させる場合の様に、浄化効果が不十分な気体を吐出することがなく、ほぼ一定の濃度の浄化イオンを吐出し、安定した浄化効果を得ることが可能である等、優れた効果を奏する。
【００３８】
また本発明に係る清浄度区分システム等では、第１区域の床面に吸気口を開設することにより、上方から吐出した気体を床面の吸気口にて吸気するので、人体又は物品から吹き払われた汚染源を回収することが可能であり、汚染源が堆積することがない等、優れた効果を奏する。
【００３９】
さらに本発明に係る清浄度区分システム等では、浄化装置の吸気口及び吐出口を開閉可能に形成し、気体の吐出が不要な夜間等の業務停止時に、吸気口及び吐出口を閉じて、浄化イオンを含む空気を筐体内で循環させることにより、運転停止中に筐体内に進入した外気及び内部に沈着した塵埃等の汚染源を浄化させることが可能である等、優れた効果を奏する。
【発明を実施するための最良の形態】
【００４０】
以下、本発明をその実施をするための形態を示す図面に基づいて詳述する。
【００４１】
実施の形態１．
図１は、本発明の実施の形態１における清浄度区分システムを示す模式図である。図１は、非清浄区域として使用される第１室１０１と、該第１室１０１に水平方向に隣接し、該第１室１０１より清浄度の高い清浄区域（無菌区域、クリーンルーム）として使用される第２室１０２との横断面を模式的に示している。第１室１０１及び第２室１０２を隔てる壁には、自動ドアが設けられた長方形状の出入り口１０３が開設されており、人物又は物品は出入り口１０３を介して行き来することが可能である。そして第１室１０１側における出入り口１０３の上方には、浄化装置１が配設されている。なお図１中の矢印は、浄化装置１から吐出する空気の方向を示している。図１中に矢印として示す様に浄化装置１から吐出される空気は、浄化装置１の略下方へ向けて吐出される。
【００４２】
図２は、本発明の実施の形態１における清浄度区分システムにて用いられる浄化装置１を模式的に示す横断面図である。なお図２に向かって左方が第１室１０１の壁面に固着される浄化装置１の背面であり、図２に向かって右方が第１室１０１の室内側に面した浄化装置１の前面である。浄化装置１は、直方体状の筐体１０を備え、筐体１０の上面には、吸気口１１が開設されており、吸気口１１には、摺動して吸気口１１を開閉する吸気口開閉蓋１１ａが設けられている。
【００４３】
吸気口１１から筐体１０内に吸気された空気は、除菌等の浄化作用を有する浄化イオンを発生させる放電回路１２により浄化イオンを含む空気に加工され、浄化イオンを含む空気は、送風部１３へ吸気される。
【００４４】
送風部１３は、回転駆動するクロスローファン１３ａと、クロスローファン１３ａを収容する風洞１３ｂとを備え、吸気した浄化イオンを含む空気を風洞１３ｂ内で撹拌し、撹拌により浄化イオン濃度を均一にした空気を、筐体１０の下面に開設された下方吐出口１４から下降流として吐出する。なお下方吐出口１４には、摺動して下方吐出口１４を開閉する下方吐出口開閉蓋１４ａが設けられている。
【００４５】
また筐体１０の前面下部には、前方吐出口１５が設けられており、前方吐出口１５には、摺動して前方吐出口１５を開閉する前方吐出口開閉蓋１５ａが設けられている。
【００４６】
送風部１３の風洞１３ｂの吹き出し口には、羽根１６が揺動可能に設けられており、羽根１６が揺動することにより、下方吐出口１４及び前方吐出口１５の一方の吐出口から浄化イオンを含む空気を吐出する。なお図２では、矢印として示す様に、下方吐出口１４から下降流として浄化イオンを含む空気を吐出している状態を示している。
【００４７】
図２において送風部１３が備えるクロスローファン１３ａは、複数であっても良く、複数のクロスローファン１３ａを用いることにより、風量の調整が可能となり、用途に応じた風量の気流を発生させることが可能となる。
【００４８】
図３は、本発明の実施の形態１における清浄区分システムにて用いられる浄化装置１が備える放電回路１２を示す一部破断図である。放電回路１２は、基板となる長方形の板状のアルミナ誘電体１２ａを備え、アルミナ誘電体１２ａの一方の面（表面）には、網目状のパターンとして成形された放電電極１２ｂが貼着されており、アルミナ誘電体１２ａの内部には、対向電極１２ｃが埋設されている。放電電極１２ｂは、約１ｃｍ×３ｃｍの長方形状をなし、放電電極１２ｂ及び対向電極１２ｃ間の電極間隔は、約０．２ｍｍの距離をもって離隔されている。そして放電電極１２ｂ及び対向電極１２ｃに、周波数が６０Ｈｚで尖頭電圧が約２ｋＶの高圧パルス電圧を印加する高圧パルス電源１２ｄが設けられている。
【００４９】
放電回路１２においては、放電電極１２ｂ及び対向電極１２ｃに高圧パルス電圧を印加することにより、放電電極１２ｂの表面に、プラズマ放電が発生し、プラズマ放電により、空気中の酸素分子Ｏ2 、水分子Ｈ2 Ｏ等の分子が電離し、プラスイオン及びマイナスイオンとして空気中に放出される。実施の形態１に示す例では、空気中の水分子Ｈ2Ｏが電離することにより水素イオンＨ+ が生成され、生成された水素イオンＨ+ は、空気中の水分子Ｈ2Ｏとクラスタリングすることにより、プラスイオンであるＨ3 Ｏ+ （Ｈ2 Ｏ）n（ｎは、０又は自然数）が生成される。また空気中の酸素分子Ｏ2 又は水分子Ｈ2 Ｏが電離することにより酸素イオンＯ2-が生成され、生成された酸素イオンＯ2-は、空気中の水分子Ｈ2Ｏとクラスタリングすることにより、マイナスイオンであるＯ2-（Ｈ2 Ｏ）m （ｍは、０又は自然数）が生成される。
【００５０】
除菌効果のある浄化イオン（除菌イオン）とは、プラズマ放電により生成したプラスイオンであるＨ3 Ｏ+ （Ｈ2 Ｏ）n 及びマイナスイオンであるＯ2-（Ｈ2 Ｏ）m を示している。空気中に放出されたこれらのプラスイオン及びマイナスイオンは、細菌等の菌類を取り囲み、菌の表面でプラスイオン及びマイナスイオンが化学反応によって酸化力の大きなヒドロキシラジカル生成する。生成されるヒドロキシラジカルは、菌類の細胞膜を破壊して、その増殖能力を喪失させることにより、効率的な殺菌を行うこととなる。
【００５１】
そして本発明の実施の形態１における清浄度区分システムでは、隣接する第１室１０１及び第２室１０２を隔てる壁に開設された出入り口１０３における第１室１０１側の上方に、浄化装置１を配設し、除菌効果のある浄化イオンを含む空気を出入り口の上方から下方へ吐出させる。これにより、清浄度の低い第１室１０１から清浄度の高い第２室１０２へ進入する人物又は物品に対し、上方から浄化イオンを含む空気を吹き付けられるので、第１室１０１にて付着した病原菌、浮遊塵埃等の汚染源の第２室１０２内への持込を回避することが可能となる。
【００５２】
前記実施の形態１では、第１室及び第２室が屋内である形態を示したが、本発明はこれに限らず、第１室（第１区域）が屋外であっても良い等、様々な形態に展開することが可能である。
【００５３】
また前記実施の形態１では、プラスイオンであるＨ3 Ｏ+ （Ｈ2 Ｏ）n 及びマイナスイオンであるＯ2-（Ｈ2 Ｏ）m を浄化成分として吐出する空気中に拡散させる形態を示したが、本発明はこれに限らず、上述した以外のイオン又は他の殺菌成分を含む気体を浄化装置から吐出する様にしても良い等、様々な形態に展開することが可能である。
【００５４】
実施の形態２．
実施の形態２は、実施の形態１において、出入り口１０３の上方からだけでなく左右からも浄化イオンを含む空気を吐出させる形態である。なお以降の説明及び図面において、実施の形態１と同様の構成要件については、実施の形態１と同様の符号を付し、その説明を省略する。
【００５５】
図４は、本発明の実施の形態２における清浄度区分システムの隣接する第１室１０１及び第２室１０２を隔てる壁に長方形状に開設された出入り口１０３を模式的に示す正面図である。図４に示した出入り口１０３は、第１室１０１側から見た状態を示している。出入り口１０３の上方には、浄化装置１が配設されており、浄化装置１からは矢印として示す様に浄化イオンを含む空気が上方から略下方への下降流として吐出している。
【００５６】
さらに出入り口１０３の左右両側には、側用浄化装置２，２，…が配設されている。側用浄化装置２，２，…には、配設されている出入り口１０３の一側に対向する出入り口１０３の他側の方向に対して、第１室１０１側に鋭角をなす方向、例えば第１室１０１及び第２室１０２を隔てる壁面に対して６０度の方向へ、浄化イオンを含む空気を斜方流として吐出する様に吐出口２１，２１，…が開設されている。図４中に矢印として示す様に側用浄化装置２，２，…の吐出口２１，２１，…から斜方流として吐出される浄化イオンを含む空気は、第１室１０１側から第２室１０２側へ進入する人物又は物品の前面に空気が吹き付けられるので、人体又は物品の前面に付着した汚染源をも効果的に浄化することが可能である。
【００５７】
前記実施の形態２では、出入り口の両側に側用浄化装置を配設する形態を示したが、本発明はこれに限らず、左右のいずれか一方のみに側用浄化装置を配設する等、様々な形態に展開することが可能である。
【００５８】
実施の形態３．
実施の形態３は、実施の形態１において、浄化イオンを含む空気をエアカーテン状に吐出し、第１室１０１内に吐出された空気にて囲まれた閉領域を設定する形態である。なお以降の説明及び図面において、実施の形態１及び実施の形態２と同様の構成については、実施の形態１等と同様の符号を付し、その説明を省略する。
【００５９】
図５は、本発明の実施の形態３における清浄度区分システムを模式的に示す配置図である。図５は、上方から見た状態の各室及び浄化装置の配置を示している。第１室１０１内には、出入り口１０３を一辺とした平面視四角形状をなす閉領域１０４が設定されており、閉領域の一辺を構成する出入り口１０３には、浄化装置１が配設されており、他の辺には、夫々閉領域用浄化装置３，３，３が配設されている。なお矢印は、吐出される空気の方向を示している。
【００６０】
図６は、本発明の実施の形態３における清浄度区分システムを模式的に示す断面図である。図６は、図５においてＡ−Ａ’にて切断し、第１室１０１側から出入り口１０３を見た状態を示している。なお矢印は吐出される空気の方向を示している。閉領域用浄化装置３，３は、浄化装置１と同じ高さに配設されており、浄化イオンを含む空気が上方から略下方への下降流として吐出される様に吐出口３１，３１が開設されている。
【００６１】
図７は、本発明の実施の形態３における清浄度区分システムを模式的に示す断面図である。図７は、図５において、Ｂ−Ｂ’にて切断し、第１室１０１及び第２室１０２を隔てる壁面に垂直で、該壁面が図７中で第１室１０１の左方になるように見た状態を示している。なお矢印は吐出される空気の方向を示している。閉領域用浄化装置３，３は、浄化装置１と同じ高さに配設されており、浄化イオンを含む空気が上方から略下方への下降流として吐出される様に吐出口３１，３１が開設されている。
【００６２】
図５乃至図７を用いて示した様に第１室１０１内に、出入り口１０３を一辺とした平面視四角形状をなす閉領域１０４の各辺に沿って、浄化装置１及び閉領領域用浄化装置３，３，３が配設されており、夫々の装置から浄化イオンを含む空気を略下方へ吐出させる。これにより浄化イオンを含む空気によるエアカーテンが形成されるので、第２室１０２へ入るまでにどのような経路を取ろうとも複数回の浄化が行われるので、第２室１０２へ持ち込まれる汚染源を効果的に除去し、第２室１０２の空気清浄度を高い状態に保つことが可能である。
【００６３】
前記実施の形態３では、出入り口を含む閉領域が四角形状である形態を示したが、本発明はこれに限らず、他の多角形、曲線を含む閉領域等の他の形状であっても良く、更にはこれらの閉領域を多重化する等、様々な形態に展開することが可能である。
【００６４】
実施の形態４．
実施の形態４は、実施の形態１において、人物又は物品の接近状況に応じて浄化装置から吐出する空気の風向を調整する形態である。なお以降の説明及び図面において、実施の形態１乃至実施の形態３と同様の構成については、実施の形態１等と同様の符号を付し、その説明を省略する。
【００６５】
図８は、本発明の実施の形態４における清浄度区分システムを示す模式図である。図８は、第１室１０１及び第２室１０２の横断面を模式的に示している。本発明の実施の形態４では、第１室１０１の出入り口１０３の近傍に人物の接近を検知する赤外線センサ等の検知装置４が配設されており、検知装置４は、人物の接近を検知した場合、人物が接近したことを示す接近検知信号を有線通信又は無線通信により浄化装置１へ送信する。浄化装置１では、接近検知信号に基づいて羽根１６を揺動させ、空気の吐出方向を調整する。
【００６６】
実施の形態１の図２に示した浄化装置１は、検知装置４から接近検知信号を受信した状態を示しており、人物が出入り口１０３に接近した場合には、下方吐出口１４から略下方へ下降流として浄化イオンを含む空気が吐出される。
【００６７】
図９は、本発明の実施の形態４における清浄度区分システムにて用いられる浄化装置１を模式的に示す横断面図である。図９は、図２に示した状態から羽根１６が揺動して、矢印で示す様に、前方吐出口１５から浄化イオンを含む空気を吐出している状態を示している。浄化装置１は、例えば接近検知信号の受信により、人物の接近を検知していない場合、又は人物が離脱したことを検知した場合に、図９に示す様に前方吐出口１５から浄化イオンを含む空気を吐出する。そして人物の接近を検知した場合に、羽根１６が揺動して下方吐出口１４から浄化イオンを含む空気を吐出する。
【００６８】
このように人物の接近状況に応じて吐出方向を変更することにより、人物が出入り口１０３に接近していない場合にでも吐出を停止させることは無いため、人物が出入り口１０３に接近してから、停止していた吐出を再起動させる場合の様に、浄化効果が不十分な気体を吐出することがなく、ほぼ一定の濃度の浄化イオンを吐出し、安定した浄化効果を得ることが可能である。しかも人物が接近していない場合には、第１室１０１内全体を浄化することが可能である。
【００６９】
なお実施の形態２における側用浄化装置２，２，…及び実施の形態３における閉領域用浄化装置３，３，３についても、人物の接近の検知状況に応じて空気の吐出方向を調整する様にしても良い。
【００７０】
前記実施の形態４では、検知手段により人物の接近を検知する形態を示したが、本発明はこれに限らず、人物以外の物品の接近を検知して吐出方向を調整する様にしても良く、また赤外線センサ以外の検知手段により、人物又は物品の接近を検知しても良い等、様々な形態に適用することが可能である。
【００７１】
実施の形態５．
実施の形態５は、実施の形態１において、浄化装置内で浄化イオンを含む空気を循環させる形態である。なお以降の説明及び図面において、実施の形態１乃至実施の形態４と同様の構成については、実施の形態１等と同様の符号を付し、その説明を省略する。
【００７２】
図１０は、本発明の実施の形態５における清浄度区分システムにて用いられる浄化装置１を模式的に示す横断面図である。図１０は、実施の形態１の図２に示す状態から、吸気口開閉蓋１１ａ、下方吐出口開閉蓋１４ａ及び前方吐出口開閉蓋１５ａを摺動して、吸気口１１、下方吐出口１４及び前方吐出口１５を閉じ、羽根１６を揺動させて風向が筐体１０内に向く様にした状態を示している。図１０中矢印は、空気が流れる方向を示している。
【００７３】
図１０に示す様に、実施の形態５では、浄化装置１の筐体１０内で浄化イオンを含む空気を循環させている。例えば浄化イオンを含む空気の吐出が不要な夜間等の業務停止中に、図１０に示す状態にして浄化イオンを含む空気を筐体１０内で循環させることにより、運転停止中に筐体１０内に進入した外気及び内部に沈着した塵埃等の汚染源を浄化させることが可能である。
【００７４】
なお実施の形態２における側用浄化装置及び実施の形態３における閉領域用浄化装置についても、筐体内で浄化イオンを含む空気を循環させる様にしても良い。
【００７５】
実施の形態６．
実施の形態６は、実施の形態１において、浄化装置から吐出された浄化イオンを含む空気を回収する形態である。なお以降の説明及び図面において、実施の形態１乃至実施の形態５と同様の構成については、実施の形態１等と同様の符号を付し、その説明を省略する。
【００７６】
図１１は、本発明の実施の形態６における清浄度区分システムを示す模式図である。図１１は、第１室１０１及び第２室１０２の横断面を模式的に示している。第１室１０１の床下には、排気ダクト１０５が埋設されており、第１室１０１の床面で、浄化装置１の下方吐出口１４に対向する位置には、排気ダクト１０５の一端に繋がる吸気口１０５ａが開設されている。吸気口１０５ａには、取り外しが可能な吸気側除塵フィルタ１０５ｂが嵌挿されており、吸気口１０５ａから吸気する空気中の塵埃等の汚染源を除去する。また第１室１０１の床面で、吸気口１０５ａと異なる位置には、排気ダクト１０５の他端に繋がる排気口１０５ｃが開設されている。排気口１０５ｃには、取り外し可能な排気側除塵フィルタ１０５ｄが嵌挿されており、排気口１０５ｃから排気する空気中の汚染源を除去する。なお排気口１０５ｃは、第１室１０１の外部に開設する用にしてもよい。そして排気ダクト１０５の内部には、ファン１０５ｅが配設されており、ファン１０５ｅが回転駆動することにより、吸気口１０５ａから吸気し、排気口１０５ｃへ排気する。
【００７７】
このように本発明の実施の形態６における清浄度区分システムでは、浄化装置１の下方吐出口１４から吐出した空気を、第１室１０１の床面に開設された吸気口１０５ａにて吸気するので、人物又は物品から吹き払われた汚染源を回収することが可能であり、汚染源が堆積することがない。
【００７８】
実施の形態７．
実施の形態７は、実施の形態１において、浄化装置を、非清浄区域として使用される第１室より清浄度の高い清浄区域として使用される第２室側に配設する形態である。なお以降の説明及び図面において、実施の形態１と同様の構成要件については、実施の形態１と同様の符号を付し、その説明を省略する。
【００７９】
図１２は、本発明の実施の形態７における清浄度区分システムを示す模式図である。図１２は、第１室１０１と、該第１室１０１に水平方向に隣接する第２室１０２との横断面を模式的に示している。第１室１０１及び第２室１０２を隔てる壁には、自動ドアが設けられた長方形状の出入り口１０３が開設されており、人物又は物品は出入り口１０３を介して行き来することが可能である。そして第２室１０２側における出入り口１０３の上方には、実施の形態７にて用いる浄化装置５が配設されている。また第１室１０１の出入り口１０３の近傍に人物の接近を検知する赤外線センサ等の検知装置４が配設されており、検知装置４は、人物の接近を検知した場合、人物が接近したことを示す接近検知信号を有線通信又は無線通信により浄化装置５へ送信する。浄化装置５では、接近検知信号に基づいて空気の吐出方向を制御する。
【００８０】
図１３は、本発明の実施の形態７における清浄度区分システムにて用いられる浄化装置５を模式的に示す横断面図である。なお図１３に向かって右方が第２室１０２の壁面に固着される浄化装置５の背面であり、図１３に向かって左方が第２室１０２の室内側に面した浄化装置５の前面である。浄化装置５は、直方体状の筐体５０を備え、筐体１０の上面には、吸気口５１が開設されており、吸気口５１には、摺動して吸気口５１を開閉する吸気口開閉蓋５１ａが設けられている。
【００８１】
吸気口５１から筐体５０内に吸気された空気は、放電回路５２により浄化イオンを含む空気に下降され、浄化イオンを含む空気は、送風部５３へ吸気される。なお実施の形態５における放電回路５２は、実施の形態１に係る放電回路１２と同様の回路である。
【００８２】
送風部５３は、回転駆動するクロスローファン５３ａと、クロスローファン５３ａを収容する風洞５３ｂとを備え、吸気した浄化イオンを含む空気を風洞５３ｂ内で撹拌し、撹拌により浄化イオン濃度を均一にした空気を外部へ下降流として吐出する。
【００８３】
浄化装置５には、筐体５０の下面、背面及び前面に吐出口５４が開設されており、吐出口５４には、筐体５０の背面及び背面側の下面を摺動する第１開閉蓋５４ａと、筐体５０の前面及び前面側の下面を摺動する第２開閉蓋５４ｂとが設けられている。第１開閉蓋５４ａは、筐体５０の背面及び下面に設けられた図示しないガイドに沿って摺動し、背面及び下面にて形成される辺に当接する任意の箇所で屈曲する。第２開閉蓋５４ｂは、筐体５０の前面及び下面に設けられた図示しないガイドに沿って摺動し、前面及び下面にて形成される辺に当接する任意の箇所で屈曲する。そして第１開閉蓋５４ａ及び第２開閉蓋５４ｂの位置を適宜調整することにより、吐出口５４の開口部を、背面及び下面、下面、又は前面及び下面とすることが可能であり、また閉鎖することも可能である。
【００８４】
送風部５３の風洞５３ｂの吹き出し口には、羽根５６が揺動可能に設けられており、羽根５６が揺動することにより、下降流として吐出させる空気を、第１室１０１側又は第２室１０２側に傾けることが可能である。さらに実施の形態５にて説明した様に浄化装置５の筐体５０内で浄化イオンを含む空気を循環させることも可能である。
【００８５】
図１３は、第１開閉蓋５４ａを背面の上側に配置し、第２開閉蓋５４ｂを前面及び下面に配置して、筐体５０の背面及び下面を吐出口５４の開口部とした状況を示している。そして羽根５６の揺動位置を直下から背面側に流路が確保される様に固定することにより、浄化装置５は、矢印として示す様に、第１室１０１側へ浄化イオンを含む空気を吐出する。
【００８６】
図１４は、本発明の実施の形態７における清浄度区分システムにて用いられる浄化装置５を模式的に示す横断面図である。図１４は、図１３を用いて説明した浄化装置５の第１開閉蓋５４ａを背面及び下面に配置し、第２開閉蓋５４ｂを前面の上側に配置して、筐体５０の前面及び下面を吐出口５４の開口部とした状況を示している。そして羽根５６の揺動位置を直下から前面側に流路が確保される様に固定することにより、浄化装置５は、矢印として示す様に、第２室１０２側へ浄化イオンを含む空気を吐出する。
【００８７】
図１５は、本発明の実施の形態７における清浄度区分システムにて用いられる浄化装置５を模式的に示す横断面図である。図１５は、図１３を用いて説明した浄化装置５の第１開閉蓋５４ａを背面及び下面に配置し、第２開閉蓋５４ｂを前面及び下面に配置して、筐体５０の吐出口５４を閉鎖した状態を示している。そして羽根５６を揺動させて風向が筐体５０内に向く様にすることで、浄化装置５は、矢印として示す様に筐体５０内で浄化イオンを含む空気を循環させる。
【００８８】
なお第１開閉蓋５４ａを背面に配置し、第２開閉蓋５４ｂを前面に配置して、筐体５０の下面を吐出口５４の開口部とし、そして羽根５６の揺動位置を直下に流路が確保される様に固定した場合、浄化装置５は、真下に浄化イオンを含む空気を吐出する。図１３乃至図１５を用いて説明した様に、本発明の実施の形態７における浄化装置５は、第１室１０１側から第２室１０２側まで広角度に空気の吐出方向を制御することが可能である。
【００８９】
図１３乃至図１５を用いて説明した浄化装置５の風向の制御は、検知装置４から受信する検知信号に基づいて行われる。図１２に示した模式図は、検知装置４が人物等の接近を検知し、検知信号を浄化装置５へ送信した状況を示している。図１２に示す様に人物等の接近を検知した場合、出入り口１０３が開き、浄化装置５は、矢印として示す様に、出入り口１０３の上方から下方へ、第１室１０１側へ傾けて浄化イオンを含む空気を吐出する。出入り口１０３が開いている場合に、気体の吐出方向を第１室１０１側に傾けることにより、第１室１０１側から第２室１０２側へ進入する人体等に付着した汚染源をも効果的に浄化することが可能である。
【００９０】
図１６は、本発明の実施の形態７における清浄度区分システムを示す模式図である。図１６は、図１２に示した模式図において、検知装置４が人物等の接近を検知していない状況を示している。図１６に示す様に人物等の接近を検知していない場合、出入り口１０３は閉じ、浄化装置５は、矢印として示す様に、出入り口１０３の上方から下方へ、第２室１０２側へ傾けて浄化イオンを含む空気を吐出する。出入り口１０３が閉じている場合、第２室１０２内に浄化イオンを含む空気を吐出するので、仮に第２室１０２内に汚染源が混入したとしても、汚染源を浄化することが可能である。
【００９１】
実施の形態８．
実施の形態８は、実施の形態７において、出入り口１０３の上方からだけでなく左右からも浄化イオンを含む空気を吐出させる形態である。なお以降の説明及び図面において、実施の形態７と同様の構成要件については、実施の形態７と同様の符号を付し、その説明を省略する。
【００９２】
図１７は、本発明の実施の形態８における清浄度区分システムの隣接する第１室１０１及び第２室１０２を隔てる壁に長方形状に開設された出入り口１０３を模式的に示す正面図である。図１７に示した出入り口１０３は、第２室１０２側から見た状態を示している。出入り口１０３の上方には、浄化装置５が配設されており、浄化装置５からは矢印として示す様に浄化イオンを含む空気が上方から略下方への下降流として吐出している。
【００９３】
さらに出入り口１０３の左右両側には、側用浄化装置６，６，…が配設されている。側用浄化装置６，６，…には、配設されている出入り口１０３の一側に対向する出入り口１０３の他側の方向に対して、第１室１０１側に鋭角をなす方向、例えば第１室１０１及び第２室１０２を隔てる壁面に対して３０度の方向へ、浄化イオンを含む空気を斜方流として吐出する様に吐出口６１，６１，…が開設されている。図１７中に矢印として示す様に側用浄化装置６，６，…の吐出口６１，６１，…から斜方流として吐出される浄化イオンを含む空気は、第１室１０１側から第２室１０２側へ進入する人物又は物品の前面に空気が吹き付けられるので、人体又は物品の前面に付着した汚染源をも効果的に浄化することが可能である。
【００９４】
しかも実施の形態７と同様に、側用浄化装置６，６，…の吐出口６１，６１，…から吐出される浄化イオンを含む空気の吐出方向は、検知装置４から送信される接近検知信号に基づいて制御される。即ち、人物又は物品の接近を検知した場合、出入り口１０３が開き、側用浄化装置６，６，…は、第１室１０１側へ傾けて浄化イオンを含む空気を吐出し、出入り口１０３が閉じている場合、第２室１０２内に浄化イオンを含む空気を吐出する。
【００９５】
図１８は、本発明の実施の形態８における清浄度区分システムを示す模式図である。図１８は、第１室１０１と、該第１室１０１に水平方向に隣接する第２室１０２との横断面を模式的に示している。図１８は、人物が接近したことを検知装置４が検知し、出入り口１０３が開き、浄化装置５及び側用浄化装置６，６，…が、第１室１０１側へ傾けて浄化イオンを含む空気を吐出している状況を示している。
【００９６】
図１９は、本発明の実施の形態８における清浄度区分システムを示す模式図である。図１９は、図１８に示した状態から出入り口１０３が閉じ浄化装置５及び側用浄化装置６，６，…が、第２室１０２内へ浄化イオンを含む空気を吐出している状況を示している。
【００９７】
前記実施の形態７及び実施の形態８に示した清浄度区分システムは、例えば酒造工場、パン工場等の発酵食品製造現場に適用することで、特に優れた効果を発揮する。これらの発酵食品製造現場では、発酵に要する有用菌以外の雑菌の混入を避けなければならない。除菌イオンは、空気中に浮遊する雑菌に対する滅菌能力は高いが、富栄養環境下、即ちパン生地内の酵母菌、酒蔵中の麹菌等の培地内の有用菌に対する滅菌能力は極めて低い。このため発酵のためのクリーンルームとして用いられる第２室１０２内に除菌イオンを含む空気を送り込むことで、第１室１０１内から雑菌が混入したとしても、有用菌に悪影響を与えることなく、混入した雑菌を殺菌することができる。
【００９８】
図１８及び図１９は、本発明を酒蔵に適用した例を示しており、第２室１０２が酒蔵である。人物が出入りする場合、出入り口１０３が開き、浄化装置５及び側用浄化装置６，６，…は、第１室１０１側へ傾けて浄化イオンを含む空気を吐出し、出入り口１０３が閉じている場合、浄化装置５及び第２室１０２内に浄化イオンを含む空気を吐出する。これにより、第１室１０１から第２室１０２内に雑菌が混入したとしても、酒樽内の及び麹菌に悪影響を与えることなく、混入した雑菌を殺菌することができる。
【００９９】
前記実施の形態８では、出入り口の両側に側用浄化装置を配設する形態を示したが、本発明はこれに限らず、左右のいずれか一方のみに側用浄化装置を配設する等、様々な形態に展開することが可能である。
【０１００】
前記実施の形態１乃至実施の形態８に示した清浄度区分システムに関する各種構成は、あくまでも一例であり、その用途、目的等に応じて様々な形態に展開することが可能である。
【図面の簡単な説明】
【０１０１】
【図１】本発明の実施の形態１における清浄度区分システムを示す模式図である。
【図２】本発明の実施の形態１における清浄度区分システムにて用いられる浄化装置を模式的に示す横断面図である。
【図３】本発明の実施の形態１における清浄区分システムにて用いられる浄化装置が備える放電回路を示す一部破断図である。
【図４】本発明の実施の形態２における清浄度区分システムの隣接する第１室及び第２室を隔てる壁に長方形状に開設された出入り口を模式的に示す正面図である。
【図５】本発明の実施の形態３における清浄度区分システムを模式的に示す配置図である。
【図６】本発明の実施の形態３における清浄度区分システムを模式的に示す断面図である。
【図７】本発明の実施の形態３における清浄度区分システムを模式的に示す断面図である。
【図８】本発明の実施の形態４における清浄度区分システムを示す模式図である。
【図９】本発明の実施の形態４における清浄度区分システムにて用いられる浄化装置を模式的に示す横断面図である。
【図１０】本発明の実施の形態５における清浄度区分システムにて用いられる浄化装置を模式的に示す横断面図である。
【図１１】本発明の実施の形態６における清浄度区分システムを示す模式図である。
【図１２】本発明の実施の形態７における清浄度区分システムを示す模式図である。
【図１３】本発明の実施の形態７における清浄度区分システムにて用いられる浄化装置を模式的に示す横断面図である。
【図１４】本発明の実施の形態７における清浄度区分システムにて用いられる浄化装置を模式的に示す横断面図である。
【図１５】本発明の実施の形態７における清浄度区分システムにて用いられる浄化装置を模式的に示す横断面図である。
【図１６】本発明の実施の形態７における清浄度区分システムを示す模式図である。
【図１７】本発明の実施の形態８における清浄度区分システムの隣接する第１室及び第２室を隔てる壁に長方形状に開設された出入り口を模式的に示す正面図である。
【図１８】本発明の実施の形態８における清浄度区分システムを示す模式図である。
【図１９】本発明の実施の形態８における清浄度区分システムを示す模式図である。
【符号の説明】
【０１０２】
１  浄化装置
１０  筐体
１１  吸気口
１１ａ  吸気口開閉蓋
１２  放電回路
１３  送風部
１４  下方吐出口
１４ａ  下方吐出口開閉蓋
１５  前方吐出口
１５ａ  前方吐出口開閉蓋
２  側用浄化装置
２１  吐出口
３  閉領域用浄化装置
３１  吐出口
５  浄化装置
５０  筐体
５１  吸気口
５２  放電回路
５３  送風部
５４  吐出口
５４ａ  第１開閉蓋
５４ｂ  第２開閉蓋
６  側用浄化装置
６１  吐出口
１０１  第１室
１０２  第２室
１０３  出入り口
１０４  閉領域
１０５  排気ダクト
１０５ａ  吸気口
【図１】
2006337013.tif 000003
【図２】
2006337013.tif 000004
【図３】
2006337013.tif 000005
【図４】
2006337013.tif 000006
【図５】
2006337013.tif 000007
【図６】
2006337013.tif 000008
【図７】
2006337013.tif 000009
【図８】
2006337013.tif 000010
【図９】
2006337013.tif 000011
【図１０】
2006337013.tif 000012
【図１１】
2006337013.tif 000013
【図１２】
2006337013.tif 000014
【図１３】
2006337013.tif 000015
【図１４】
2006337013.tif 000016
【図１５】
2006337013.tif 000017
【図１６】
2006337013.tif 000018
【図１７】
2006337013.tif 000019
【図１８】
2006337013.tif 000020
【図１９】
2006337013.tif 000021